(57)【要約】【課題】  飲食物を簡単に加熱でき、そして保温することができる加熱保温具を提供すること。【解決手段】  上端に矩形開口部を有する段ボールシート製の外箱、この外箱内に収容されている、上端に矩形開口部を有する段ボールシート製の内箱、外箱の矩形開口部の対向する一組の辺のうちの少なくとも一方に接続されている、内箱の開口部を塞ぐ段ボールシート製の蓋材、および上記の内箱に収容されている、水との接触により発熱する発熱剤を内包する耐水性容器を含む、上記の耐水性容器内に挿入した飲食物を内包する水不透性容器を加熱し、保温する飲食物用加熱保温具。【選択図】        図２
2006255029.tif 000002
【特許請求の範囲】
【請求項１】
上端に矩形開口部を有する段ボールシート製の外箱、該外箱内に収容されている、上端に矩形開口部を有する段ボールシート製の内箱、外箱の矩形開口部の対向する一組の辺のうちの少なくとも一方に接続されている、内箱の開口部を塞ぐ段ボールシート製の蓋材、および上記の内箱に収容されている、水との接触により発熱する発熱剤を内包する耐水性容器を含む、該耐水性容器内に挿入した飲食物を内包する水不透性容器を加熱し、保温する飲食物用加熱保温具。
【請求項２】
外箱の矩形開口部の上記の対向する一組の辺のそれぞれに蓋材が接続されており、これらの蓋材が重ねて配置されて内箱の開口部を塞いでいる請求項１に記載の加熱保温具。
【請求項３】
外箱の矩形開口部の上記とは別の対向する一組の辺のそれぞれから上方に伸びる延長部が形成され、各々の延長部がその基部にて内側に折り曲げられ、次いで先端近傍部位が蓋材の側に折り曲げられ互いに重ね合わされ、該延長部がその先端にて蓋材を抑えて仮固定している請求項１もしくは２に記載の加熱保温具。
【請求項４】
外箱に、その上端の矩形開口部の四隅のそれぞれから内箱上端よりも下方の部位まで伸びる切り込みが形成され、外箱の各々の側面の上端から切り込み下端までの部分が外側に折り曲げ可能とされている請求項１乃至３のうちのいずれかの項に記載の加熱保温具。
【請求項５】
発熱体を内包する耐水性容器に、飲食物を内包するための水不透性容器が予め収容されている請求項１乃至４のうちのいずれかの項に記載の加熱保温具。
【請求項６】
耐水性容器及び水不透性容器のいずれもがプラスチック製の袋である請求項１乃至５のうちのいずれかの項に記載の加熱保温具。
【請求項７】
上端に矩形開口部を有する段ボールシート製の外箱、該外箱内に収容される、上端に矩形開口部を有する段ボールシート製の内箱、外箱の矩形開口部の対向する一組の辺のうちの少なくとも一方に接続されている、内箱の開口部を塞ぐ段ボールシート製の蓋材、および上記の内箱に収容される、水との接触により発熱する発熱剤を内包する耐水性容器を含み、そして該外箱及び内箱のそれぞれが折り畳まれ、そして発熱剤が水密容器に封入されている該耐水性容器内に挿入した飲食物を内包する水不透性容器を加熱し、保温する飲食物用加熱保温具の組み立てキット。
【請求項８】
外箱の矩形開口部の上記の対向する一組の辺のそれぞれに蓋材が接続されており、これらの蓋材が重ねて配置されて内箱の開口部を塞ぐ請求項７に記載の加熱保温具組み立てキット。
【請求項９】
外箱の矩形開口部の上記とは別の対向する一組の辺のそれぞれから上方に伸びる延長部が形成され、各々の延長部がその基部にて内側に折り曲げられ、次いで先端近傍部位が蓋材の側に折り曲げられ互いに重ね合わされ、該延長部がその先端にて蓋材を抑えて仮固定する請求項７もしくは８に記載の加熱保温具組み立てキット。
【請求項１０】
外箱に、その上端の矩形開口部の四隅のそれぞれから内箱上端よりも下方の部位まで伸びる切り込みが形成され、外箱の各々の側面の上端から切り込み下端までの部分が外側に折り曲げ可能とされている請求項７乃至９のうちのいずれかの項に記載の加熱保温具組み立てキット。
【請求項１１】
さらに、飲食物を内包するための水不透性容器を含む請求項７乃至１０のうちのいずれかの項に記載の加熱保温具組み立てキット。
【請求項１２】
耐水性容器及び水不透性容器のいずれもがプラスチック製の袋である請求項７乃至１１のうちのいずれかの項に記載の加熱保温具組み立てキット。
【請求項１３】
請求項７乃至１２の加熱保温具組み立てキットに、濾過により飲料水を製造する携帯用浄水器が付随している浄水器付き加熱保温具組み立てキット。
【発明の詳細な説明】
【技術分野】
【０００１】
本発明は、飲食物用の加熱保温具に関する。
【背景技術】
【０００２】
地震や洪水などの災害が発生した後には、被災者への電気、ガス、そして水道水の供給が絶たれる場合がある。このような災害の発生に備えて、長期にわたって保存することができる食品の開発が行なわれている。また災害が発生した場合、特に冬季に災害が発生した場合には、被災者には暖かい食事や飲料を供給することが望ましい。
【０００３】
特許文献１には、耐熱性フィルムからなり、上端が開口し且つ底片が平板状の再加熱用袋体の中に、気密性フィルム製の内袋に調理済み脱水食品を封入した調理済み脱水食品袋と、水密性内袋の中に上記脱水食品を脱水前の状態に還元するのに要する量の還元用水を封入した還元用水袋と、水密性内袋の中にアルミニウム粉末と生石灰とを混ぜてなる発熱材を封入した透水性内袋を封入した発熱材袋と、水密性内袋の中に上記発熱材の発熱反応に要する量の反応水を封入した反応水袋とを封入してなる調理済み再加熱還元食品が開示されている。そして、この調理済み再加熱還元食品は長期の保存が可能で、緊急時に速やかに食べることができる状態に含水還元するための水、熱、用具の全てを適切な量で備えているので、容易かつ簡単に加熱調理された暖かい食品が得られるとされている。
【特許文献１】特開２００１−２９９２４８号公報
【発明の開示】
【発明が解決しようとする課題】
【０００４】
特許文献１の調理済み再加熱還元食品は、災害が発生した後に電気、ガス、および水道水の全ての供給が絶たれている場合にも被災者に暖かい食事を供給することができる有用なものである。一方、災害が発生した後には、先ず被災者の生命を維持するための飲料水や食べ物の供給が始まり、その後に遅れて電気やガスの供給が始まる場合が多い。通常、被災者には、飲料水が暖かいお湯の状態で供給される場合は少ない。従って、飲料水の供給が開始されても、電気やガスの供給が絶たれている場合には、乳児用の粉ミルクを溶かすためのお湯、あるいは高齢の被災者に与える暖かいお茶などを簡単に作ることは難しい。また、みそ汁やカレーなどの食べ物は暖かい状態で供給される場合が多いが、これを被災者が後に食べるために一時的に保管した場合には、被災者は冷たい食べ物を食べなければならない。このような場合に、供給された飲料水、みそ汁、あるいはカレーなどの飲食物を簡単に加熱でき、そして保温することができる加熱保温具があれば望ましい。
【０００５】
本発明の課題は、飲食物を簡単に加熱でき、そして保温することができる加熱保温具を提供することにある。
【課題を解決するための手段】
【０００６】
本発明は、上端に矩形開口部を有する段ボールシート製の外箱、この外箱内に収容されている、上端に矩形開口部を有する段ボールシート製の内箱、外箱の矩形開口部の対向する一組の辺のうちの少なくとも一方に接続されている、内箱の開口部を塞ぐ段ボールシート製の蓋材、および上記の内箱に収容されている、水との接触により発熱する発熱剤を内包する耐水性容器を含む、上記の耐水性容器内に挿入した飲食物を内包する水不透性容器を加熱し、保温する飲食物用加熱保温具にある。
【０００７】
本発明の加熱保温具の好ましい態様は、下記の通りである。
（１）外箱の矩形開口部の上記の対向する一組の辺のそれぞれに蓋材が接続されており、これらの蓋材が重ねて配置されて内箱の開口部を塞いでいる。
（２）外箱の矩形開口部の上記とは別の対向する一組の辺のそれぞれから上方に伸びる延長部が形成され、各々の延長部がその基部にて内側に折り曲げられ、次いで先端近傍部位が蓋材の側に折り曲げられ互いに重ね合わされ、延長部がその先端にて蓋材を抑えて仮固定している。
（３）外箱に、その上端の矩形開口部の四隅のそれぞれから内箱上端よりも下方の部位まで伸びる切り込みが形成され、外箱の各々の側面の上端から切り込み下端までの部分が外側に折り曲げ可能とされている。
（４）発熱体を内包する耐水性容器に、飲食物を内包するための水不透性容器が予め収容されている。
（５）耐水性容器及び水不透性容器のいずれもがプラスチック製の袋である。
【０００８】
本発明はまた、上端に矩形開口部を有する段ボールシート製の外箱、この外箱内に収容される、上端に矩形開口部を有する段ボールシート製の内箱、外箱の矩形開口部の対向する一組の辺のうちの少なくとも一方に接続されている、内箱の開口部を塞ぐ段ボールシート製の蓋材、および上記の内箱に収容される、水との接触により発熱する発熱剤を内包する耐水性容器を含み、そして上記の外箱及び内箱のそれぞれが折り畳まれ、そして発熱剤が水密容器に封入されている、上記の耐水性容器内に挿入した飲食物を内包する水不透性容器を加熱し、保温する飲食物用加熱保温具の組み立てキットにもある。
【０００９】
本発明の加熱保温具組み立てキットの好ましい態様は、下記の通りである。
（１）外箱の矩形開口部の上記の対向する一組の辺のそれぞれに蓋材が接続されており、これらの蓋材が重ねて配置されて内箱の開口部を塞ぐ。
（２）外箱の矩形開口部の上記とは別の対向する一組の辺のそれぞれから上方に伸びる延長部が形成され、各々の延長部がその基部にて内側に折り曲げられ、次いで先端近傍部位が蓋材の側に折り曲げられ互いに重ね合わされ、延長部がその先端にて蓋材を抑えて仮固定する。
（３）外箱に、その上端の矩形開口部の四隅のそれぞれから内箱上端よりも下方の部位まで伸びる切り込みが形成され、外箱の各々の側面の上端から切り込み下端までの部分が外側に折り曲げ可能とされている。
（４）さらに、飲食物を内包するための水不透性容器を含む。
（５）耐水性容器及び水不透性容器のいずれもがプラスチック製の袋である。
【００１０】
本発明はまた、上記の加熱保温具組み立てキットに、濾過により飲料水を製造する携帯用浄水器が付随している浄水器付き加熱保温具組み立てキットにもある。
【発明の効果】
【００１１】
本発明の加熱保温具を用いることにより、飲食物、特に飲料水などの液体、あるいはみそ汁やカレーなどの液体を含む食べ物を簡単に加熱でき、そして保温することができる。
【発明を実施するための最良の形態】
【００１２】
本発明の飲食物用の加熱保温具を、添付の図面を用いて説明する。図１は、本発明の加熱保温具の構成例とその使用の態様を示す斜視図であり、そして図２は、図１に記入した切断線II−II線に沿って切断した加熱保温具１０の断面図である。
【００１３】
図１及び図２に示す加熱保温具１０は、上端に矩形開口部を有する段ボールシート製の外箱１１、外箱１１の内部に収容されている、上端に矩形開口部を有する段ボールシート製の内箱１２、外箱１１の矩形開口部の対向する一組の辺のそれぞれに接続されている、内箱１２の開口部を塞ぐ段ボールシート製の蓋材１３ａ、１３ｂ、および内箱１２に収容されている、水との接触により発熱する発熱剤１４を内包する耐水性容器１５などから構成されている。この加熱保温具１０は、耐水性容器１５の内部に挿入された、飲食物（例えば、飲料水）１６を内包する水不透性容器１７を加熱して、保温するものである。耐水性容器１５や水不透性容器１７としては、例えば、ポリエチレンなどのプラスチックから形成された袋が好ましく用いられる。
【００１４】
この耐水性容器１５の内部の挿入された、飲食物１６を内包する水不透性容器１７は、発熱剤用の水２０との接触により発熱剤１４が発した熱によって加熱され、そして段ボールシート製の内箱１２と外箱１１とによって熱が外部に逃げ難くされているために長時間にわたって保温される。
【００１５】
図３は、図１の加熱保温具１０の外箱１１の内部に内箱１２を収容した状態を示す斜視図である。また図４は外箱１１の展開図であり、そして図５は内箱１２の展開図である。
【００１６】
外箱１１は、例えば、次の手順により組み立てられる。先ず、図４の展開図に示す四つの側面部１１ａ、１１ａ、１１ａ、１１ａのそれぞれを、隣接する側面部との間の折れ線にて折り曲げて筒体を形成し、そして接着部１１ｃを図４において左端にある側面部１１ａと接着する。次に、底板１１ｆ、底板１１ｅ、１１ｅ、そして１１ｇを、この順に内側に折り曲げる。そして底板１１ｆと底板１１ｅ、１１ｅとにより箱の底部の略中央の位置に形成される細長い隙間に差し込み部１１ｄを差し込んで箱の底を組み立てる。
【００１７】
また、上記の各々の折れ線の上側（底板の側とは逆側）には切り込み１９が形成されており、この切り込み１９のそれぞれは、図１及び図３に示すように外箱１１の上端の矩形開口部の四隅のそれぞれから内箱１２の上端よりも下方の部位まで伸びている。このような切り込み１９を形成すると、外箱１１の各々の側面１１ａの上端から切り込み１９の下端までの上側部分を外側に折り曲げることが可能となる。この各々の側面部１１ａの上側部分を外側に折り曲げることにより、外箱は図３に示す状態に組み立てられる。
【００１８】
図３に示すように、外箱１１の矩形開口部の対向する一組の辺のそれぞれには、内箱１２の開口部を塞ぐ段ボールシート製の蓋材１３ａ、１３ｂが接続されている。外箱の矩形開口部の対向する一組の辺には、その少なくとも一方に蓋材が接続されていれば良いが、加熱保温具の保温性を高めるためには、図３に示すように上記の矩形開口部の対向する一組の辺のそれぞれに蓋材１３ａ、１３ｂが接続され、これらの蓋材が重ねて配置されて内箱１２の開口部を塞ぐことが好ましい。
【００１９】
一方、内箱１２は、例えば、次の手順により組み立てられる。先ず、図５の展開図に示す四つの側面部１２ａ、１２ａ、１２ａ、１２ａのそれぞれを、隣接する側面部との間の折れ線にて折り曲げて筒体を形成し、そして接着部１２ｃを図５において右端にある側面部１２ａと接着する。次に、差込部１２ｄを備えていない二枚の底板１２ｂ、１２ｂを内側に折り曲げる。これにより箱の底部の上記二枚の底板１２ｂ、１２ｂと、底板を備えていない側面部１２ａの下側端部との間に隙間が形成される。そして残りの底板１２ｂを内側に折り曲げ、その端部に接続されている差し込み部１２ｄを上記隙間に差し込むことにより内箱１２が組み立てられる。このように内箱１２が三枚の底板１２ｂ、１２ｂ、１２ｂを備えていると、加熱保温具１０の保温性が良好となる。なお、図２の加熱保温具１０の断面図においては、外箱１１への内箱１２の収容状態の理解を容易とするため、内箱１２の底板の記載を簡略化してある。
【００２０】
そして図３に示すように、組み立てられた外箱１１の内部に内箱１２を収容し、そして図２に示すように、内箱１２の内部に水との接触により発熱する発熱剤１４を内包する耐水性容器１５を収容することにより本発明の加熱保温具１０が得られる。
【００２１】
発熱剤の代表例としては、生石灰粉末、アルミニウム粉末、および生石灰粉末とアルミニウム粉末との混合物が挙げられる。これらの発熱剤の中でも、生石灰粉末とアルミニウム粉末との混合物は、水との接触により発する熱量が大きく、そして比較的長い時間にわたって発熱を続けるため、本発明の加熱保温具に特に好ましく用いることができる。生石灰粉末と酸化アルミニウム粉末との混合物からなる発熱剤については、例えば、特許第３４６７７２９号に記載されている。発熱剤は、粉末の状態にて耐水性容器１５の内部に入れても良いし、あるいは透水性の袋（例、不織布や和紙から形成された袋）に封入された状態にて耐水性容器１５の内部に入れても良い。
【００２２】
耐水性容器１５としては、ポリエチレンなどのプラスチックから形成された袋を用いることが好ましい。上記のように本発明の加熱保温具は、段ボールシート製の外箱及び内箱と、発熱剤を内包する耐水性容器とから構成されている。この外箱及び内箱はそれぞれ折り畳むことが可能であり、そして耐水性容器としてプラスチック製の袋を用いることにより、使用前には加熱保温具の全体を平たい形状にすることができる。このため、災害に備えて予め多数の加熱保温具を用意する場合にも、加熱保温具の保管に必要なスペースが極めて小さくて済む。
【００２３】
従来より、段ボールシートは水と接触するとその強度が低下することが知られているので、水（及び発熱剤）を用いて飲食物を加熱し、さらには長時間にわたって飲食物（特に飲料水などの液体、あるいはみそ汁やカレーなどの液体を含む食べ物）を収容して保温するために段ボールシート製の箱を利用するという発想はなかった。本発明者は、段ボールシート製の箱は折り畳みが可能であるので、これを用いて加熱保温具を構成することができれば、多数の加熱保温具を用意しても保管に必要なスペースは極めて小さくて済むので、災害に備えて予め用意しておく加熱保温具として有用なものとなると考え鋭意研究を続けた結果、本発明の加熱保温具を完成するに至ったのである。
【００２４】
次に、本発明の加熱保温具によって飲食物を内包する水不透性容器を加熱、そして保温をする手順について説明する。
【００２５】
図６は、図１の加熱保温具１０の使用方法を説明する図である。加熱保温具１０を用いる場合、飲食物（例えば、飲料水）を内包する水不透性容器１７は、例えば、次の手順により加熱、そして保温される。
【００２６】
先ず、外箱１１の内部に内箱１２を収容し、そして内箱１２の内部に耐水性容器１５として、例えば、ポリエチレンなどのプラスチックから形成された袋を収容する。この際に、外箱１１の各々の側面の上側部分を外側に折り曲げておくと、袋の上端近傍の部位を内箱１２の側面部上端に引っ掛けておくことができるので、この袋（耐水性容器１５）の内部に発熱体や水不透性容器を収容する作業が容易になる。そして袋の内部に、水との接触により発熱する発熱剤（図２：１４）を入れる。
【００２７】
次に、耐水性容器（上記のプラスチック製の袋）１５の内部に、飲食物を入れる水不透性容器１７として、例えば、ポリエチレンなどのプラスチックから形成された袋を挿入する。加熱保温具１０の耐水性容器１５の内部には、飲食物を入れる水不透性容器１７を予め収容しておくことが好ましい。そして水不透性容器１７として用いる袋の内部に、その上端の開口部から飲食物（例えば、飲料水、みそ汁、カレーなど）を入れる。水不透性容器１７として用いる袋には、その内部に飲食物を入れた後に袋の開口部を閉じる封止チャック１７ａが備えられていることが好ましい。
【００２８】
なお、飲食物を予め水不透性容器の内部に入れ、この飲食物を内包する水不透性容器（例えば、レトルト食品など）を耐水性容器の内部に収容しても良い。また、内箱の内部に予め発熱剤を内包する耐水性容器と飲食物を内包する水不透性容器とを収容し、この内箱を外箱の内部に収容することもできる。
【００２９】
そして最後に、耐水性容器１５と水不透性容器１７との間に、発熱剤を発熱させるための水（図２：２０）を入れ、直ちに外箱１１の上端開口部に備えられた蓋材１３ａ、１３ｂにより内箱１２の上端開口部を塞ぐ。これにより発熱剤が水と接触して発熱を始め、そしてこの水が加熱されて水蒸気となって水不透性容器１７を包み込み、その内部に入れられた飲食物が加熱され、そして保温される。
【００３０】
この際、耐水性容器１５の内部にて発生した水蒸気が外に漏れ出て、内箱１２の内側面に接触して内箱の強度を低下させる場合がある。このような内箱１２の強度の低下を抑制するために、内箱を形成する段ボールシートとしては、耐水性段ボールシートを用いることが好ましい。
【００３１】
耐水性段ボールシートとしては、日本工業規格（Ｚ１５３７）の「はっ水段ボール」、「しゃ水段ボール」及び「耐水段ボール」の規格を満足する段ボールシートを用いることが好ましい。通常、耐水性段ボールシートは、段ボールシートの片面あるいは両面にワックスを塗布する、あるいは段ボールシートをワックスに浸漬するなどの耐水処理をして得られる。また耐水性段ボールシートとして、段ボールシートの表面に発泡紙や耐水性のライナーが積層された構成の段ボールシートを用いることも好ましい。発泡紙を備える段ボールシートを用いることにより、加熱保温具の保温性がさらに高められる。発泡紙やその製造方法は、例えば、特開２００１−９８４９４号公報に詳しく記載されている。
【００３２】
また、内箱１２の内側面となる面にのみ耐水処理が施された耐水性段ボールシート、あるいは内側面となる面にのみ発泡紙や耐水性ライナーが積層された構成の段ボールシートを用いると、内箱の製造コストを低くすることができる。
【００３３】
また、加熱保温具１０の水不透性容器１７の内部に、例えば、飲料水を入れる際に、誤って飲料水が加熱保温具の外にこぼれ、外箱１１の外側面に接触して外箱の強度を低下させる場合がある。このような外箱１１の強度の低下を抑制するために、外箱を形成する段ボールシートとしては、内箱１１の場合と同様に耐水性段ボールシートを用いることが好ましい。また、外箱１２の外側面となる面にのみ耐水処理が施された耐水性段ボールシート、あるいは外側面となる面にのみ発泡紙や耐水性ライナーが積層された構成の段ボールシートを用いると、外箱の製造コストを低くすることができる。
【００３４】
図１から図３に示すように、外箱１１の矩形開口部の上記とは別の対向する一組の辺のそれぞれから上方に伸びる延長部１８ａ、１８ｂが形成され、各々の延長部がその基部にて内側に折り曲げられ、次いで先端近傍部位が蓋材の側に折り曲げられ互いに重ね合わされ、延長部１８ａ、１８ｂがその先端にて蓋材１３ｂ、１３ａを抑えて仮固定することが好ましい。これらの延長部１８ａ、１８ｂを設けることにより、内箱１２の開口部を塞いでいる蓋材１３ａ、１３ｂを簡単に抑えて仮固定することができる。
【００３５】
延長部１８ａ、１８ｂのそれぞれには、その先端近傍の部位の幅方向両端にそれぞれ切り込みを入れて形成された延長部仮止め具２１が備えられていることが好ましい。各々の延長部の先端近傍部位を重ね合わせた後に、延長部仮止め具２１を図１に示すように折り曲げると延長部１８ａ、１８ｂが互いに仮止めされ、これらの延長部の配置を仮固定することができる。なお、延長部仮止め具２１を用いずに、折り曲げた延長部１８ａ、１８ｂの頂部を粘着テープなどを用いて互いに固定しても良い。
【００３６】
上記のように飲食物を水不透性容器の内部に入れる際（あるいは飲食物を内包する水不透性容器を耐水性容器の内部に入れる際）に内箱の上端開口部に蓋材が備えられていると、耐水性容器としてプラスチック製の袋を用いた場合には、袋の上端近傍の部位を内箱の側面部上端に引っ掛けておくことができず、また蓋材は通常内側に折れ曲がるように癖が付いているため、耐水性容器として用いる袋、あるいは内箱の蓋材が邪魔になって飲食物（あるいは飲食物を内包する水不透性容器）を入れ難い。
【００３７】
図６の加熱保温具１０を用いる場合は、内箱１２の開口部を塞ぐ段ボールシート製の蓋材１３ａ、１３ｂが外箱１１の上端開口部に備えられ、これらの蓋材を外箱の各々の側面部の上側部分を外側に折り曲げることにより内箱から離れて配置させることができ、そして耐水性容器１５として用いる袋の上端近傍の部位を内箱の側面部上端に引っ掛けておくことができる。このため加熱保温具１０は、飲食物を水不透性容器１７の内部に（あるいは飲食物を内包する水不透性容器１７を耐水性容器１５として用いる袋の内部に）簡単に収容することができ、そして収容した飲食物を加熱して保温することができる。なお、内箱の内部に予め発熱剤を内包する耐水性容器と水不透性容器とを収容しておき、この水不透性容器の内部に飲食物を入れたのちに内箱を外箱の内部に収容する場合には、外箱の各々の側面の上側部分は外側に曲がらなくとも良い、すなわち外箱に切り込み１９を形成しなくても良い。
【００３８】
また、飲食物として飲料水のような液体、あるいはみそ汁やカレーなどの液体を含む食べ物（以下、液状飲食物という）を加熱して保温する場合には、内箱の内部に水不透性容器１７として用いるプラスチック製の袋を収容する前に袋の中に液状飲食物を入れようとすると、液状飲食物を入れる際に袋を上手く手で支持しなければならず、また袋の中に内箱に収容できる量の液状飲食物を入れなければならないので手間がかかる。このため液状飲食物を加熱して保温する場合には、通常は内箱１２の内部に収容されている耐水性容器１５の内部に、予め水不透性容器１７として用いる袋を収容しておき、次いでこの袋の内部に液状飲食物を入れることになる。
【００３９】
このような場合に内箱の上端開口部に蓋材が備えられていると、上記と同様に耐水性容器として用いる袋あるいは内箱の蓋材が邪魔になるためにこれらを手で押さえたり、さらには液状飲食物を入れていくに従って水不透性容器として用いる袋の開口部が変形していくために、この袋の開口部近傍の部位も手で支持したりする必要があるために非常に手間がかかる。図６の加熱保温具は、水不透性容器として用いる袋の開口部近傍の部位を必要に応じて手で支持しながらその内部に簡単に液状飲食物を収容することができるので、特に液状飲食物を加熱そして保温するために有利に用いることができる。
【００４０】
次に、本発明の飲食物用加熱保温具の組み立てキットについて説明する。本発明の加熱保温具組み立てキットは、上端に矩形開口部を有する段ボールシート製の外箱、この外箱内に収容される、上端に矩形開口部を有する段ボールシート製の内箱、外箱の矩形開口部の対向する一組の辺のうちの少なくとも一方に接続されている、内箱の開口部を塞ぐ段ボールシート製の蓋材、および上記の内箱に収容される、水との接触により発熱する発熱剤を内包する耐水性容器などから構成されており、上記の外箱及び内箱のそれぞれは折り畳まれ、そして発熱剤は水密容器（例えば、アルミニウム箔から形成された袋）に封入されている。
【００４１】
このような加熱保温具の組み立てキットを用意しておくことにより、災害時に加熱保温具を直ちに組み立てることができる。このような加熱保温具組み立てキットは保管に必要なスペースが極めて小さくて済むので、災害に備えて予め多数の加熱保温具を用意する場合に特に有用なものである。
【００４２】
この加熱保温具組み立てキットには、さらに、飲食物を内包するための水不透性容器が備えられていることが好ましい。そして耐水性容器及び水不透性容器は、いずれもプラスチック製の袋であることが好ましい。なお外箱の好ましい態様については、図１から図６を用いて説明した加熱保温具１０の外箱１１と同様であるので説明は省略する。
【００４３】
さらに、この加熱保温具組み立てキットに、濾過により飲料水を製造する携帯用浄水器を付随させることにより、本発明の浄水器付き加熱保温具組み立てキットが得られる。この携帯用浄水器としては公知のものを用いることができる。濾過により飲料水を製造する携帯用浄水器の構成などについては、例えば、特許第３４６８５６８号に詳しい記載がある。
【００４４】
携帯用浄水器付きの加熱保温具組み立てキットを用いると、災害により電気、ガス、そして水道水の全ての供給が絶たれている場合にも、例えば、携帯用浄水器を用いて風呂場の浴槽に残された水などを濾過して飲料水を製造し、この飲料水を加熱保温具を用いて加熱して、例えば、乳児用のミルクを溶かすためのお湯を簡単に作り、そして保温することができる。
【図面の簡単な説明】
【００４５】
【図１】本発明の加熱保温具の構成例とその使用の態様を示す斜視図である。
【図２】図１に記入した切断線II−II線に沿って切断した加熱保温具の断面図である。
【図３】図１の加熱保温具の外箱内に内箱を収容した状態を示す斜視図である。
【図４】図１の加熱保温具の外箱の展開図である。
【図５】図１の加熱保温具の内箱の展開図である。
【図６】図１の加熱保温具の使用方法を説明する図である。
【符号の説明】
【００４６】
１０  加熱保温具
１１  外箱
１１ａ  側面部
１１ｃ  接着部
１１ｄ  差し込み部
１１ｅ、１１ｆ、１１ｇ  底板
１２  内箱
１２ａ  側面部
１２ｂ  底板
１２ｃ  接着部
１２ｄ  差し込み部
１３ａ、１３ｂ  蓋材
１４  発熱剤
１５  耐水性容器
１６  飲食物
１７  水不透性容器
１７ａ  封止チャック
１８ａ、１８ｂ  延長部
１９  切り込み
２０  発熱剤用の水
２１  延長部仮止め具
【図１】
2006255029.tif 000003
【図２】
2006255029.tif 000004
【図３】
2006255029.tif 000005
【図４】
2006255029.tif 000006
【図５】
2006255029.tif 000007
【図６】
2006255029.tif 000008